(57)【特許請求の範囲】
【請求項１】
給湯管および給水管に接続されて湯および水を混合する混合栓本体と、この混合栓本体に湯水混合水、あるいは、水のいずれかよりなる原水の給水流路を形成する可撓管を介して接続されたシャワヘッドとを備え、このシャワヘッドは、前記給水流路に連通する原水流路を形成する貫通穴を有する円筒状の浄水カートリッジが取替自在に内蔵されているグリップ部と、このグリップ部の下流端に接続される吐水口本体とよりなり、更に、この吐水口本体は、上流端に前記浄水カートリッジの外側に形成される環状の浄水流路に連通する浄水用開口と前記原水流路に連通する原水用開口とを有するとともに、この原水用開口の下流側に前記原水流路を吐水流路に連通させて原水を吐水する原水吐水状態と前記原水流路を閉塞しながら前記浄水流路を前記吐水流路に連通させて浄水を吐水する浄水吐水状態とを切替える切替手段を有し、しかも、この切替手段は前記吐水口本体の横側部に露出したシーソー式の切替用の回動操作具を有し、また、前記切替手段を切り替えて浄水吐水状態にすると、給水流路からの原水が前記貫通穴から浄水流路に向かって前記浄水カートリッジ内を径方向に流れるようにしてあり、また、前記浄水用開口は、前記原水用開口の直下に位置し、前記切替手段は、前記吐水口本体の下部側に前記吐水流路を形成するチャンバを有する一方、前記吐水口本体の上部側の空間部に、前記原水流路を前記吐水流路に連通させるための開口が形成された弁座部材と、この弁座部材上に前記回動操作具の回動操作に連動して前記吐水流路を開閉する弁体を保持する弁体保持部材とを有し、更に、前記浄水用開口は前記チャンバに常時連通していることを特徴とする浄水機能付湯水混合水栓。
【請求項２】
前記吐水流路は、前記吐水口本体の下面中央部からの直放水の流路と、この直放水の流路のまわりの散水用の流路とよりなり、両流路が切替可能に構成されている請求項１に記載の浄水機能付湯水混合水栓。
【発明の詳細な説明】
【０００１】
【発明の属する技術分野】
この発明は、浄水カートリッジをシャワヘッドに内蔵し、切替手段によって湯水混合水や水の原水と浄水とが切替え可能に構成された浄水機能付湯水混合水栓に関する。
【０００２】
【従来の技術および発明が解決しようとする課題】
従来この種の浄水機能付湯水混合水栓として、原水と浄水とを切替え操作するための操作具として、図６（Ａ）、図６（Ｂ）に示すような押しボタン８１の切替スイッチがシャワヘッドの吐水口本体８２の横側部に露出した状態で設けられているものがあるけれども、押しボタン８１の凹み具合だけでは、浄水吐水モードの場合〔図６（Ｂ）〕なのか、あるいは、原水吐水モードの場合〔図６（Ａ）〕なのかを、たとえ切替え表示８３があっても目視だけでは容易に判断しにくかった。その上、押しボタン８１の切替作動を弁体に伝達する伝達機構が複雑であり、故障の原因となっていた。
【０００３】
本発明はこのような実情を考慮に入れてなされたものであって、目視だけで容易に浄水吐水モードなのか原水吐水モードなのかの判断ができるとともに、故障し難い浄水機能付湯水混合水栓を提供することを目的としている。
【０００４】
【課題を解決するための手段】
すなわち、この発明の浄水機能付湯水混合水栓は、給湯管および給水管に接続されて湯および水を混合する混合栓本体と、この混合栓本体に湯水混合水、あるいは、水のいずれかよりなる原水の給水流路を形成する可撓管を介して接続されたシャワヘッドとを備え、このシャワヘッドは、前記給水流路に連通する原水流路を形成する貫通穴を有する円筒状の浄水カートリッジが取替自在に内蔵されているグリップ部と、このグリップ部の下流端に接続される吐水口本体とよりなり、更に、この吐水口本体は、上流端に前記浄水カートリッジの外側に形成される環状の浄水流路に連通する浄水用開口と前記原水流路に連通する原水用開口とを有するとともに、この原水用開口の下流側に前記原水流路を吐水流路に連通させて原水を吐水する原水吐水状態と前記原水流路を閉塞しながら前記浄水流路を前記吐水流路に連通させて浄水を吐水する浄水吐水状態とを切替える切替手段を有し、しかも、この切替手段は前記吐水口本体の横側部に露出したシーソー式の切替用の回動操作具を有し、また、前記切替手段を切り替えて浄水吐水状態にすると、給水流路からの原水が前記貫通穴から浄水流路に向かって前記浄水カートリッジ内を径方向に流れるようにしてあり、また、前記浄水用開口は、前記原水用開口の直下に位置し、前記切替手段は、前記吐水口本体の下部側に前記吐水流路を形成するチャンバを有する一方、前記吐水口本体の上部側の空間部に、前記原水流路を前記吐水流路に連通させるための開口が形成された弁座部材と、この弁座部材上に前記回動操作具の回動操作に連動して前記吐水流路を開閉する弁体を保持する弁体保持部材とを有し、更に、前記浄水用開口は前記チャンバに常時連通していることを特徴としている。
【０００５】
【発明の実施の形態】
図１〜図５は、この発明の一実施形態を示す。
まず、図１〜図３において、浄水機能付湯水混合栓１は、給湯管Ｈおよび給水管Ｃから流入する湯および水を適宜混合して混合水を混合水供給管２ａに供給する混合栓本体２と、混合栓本体２から供給される混合水、あるいは、水よりなる原水や、その浄水を吐水するシャワヘッド３と、このシャワヘッド３と混合水供給管２ａとを接続する可撓管４とを有している。この可撓管４は、原水の給水流路１００を形成する（図５参照）。
【０００６】
２ｂ，２ｃはそれぞれ給湯管Ｈ、給水管Ｃに連通連結されるサプライ管であり、２ｄは混合水供給管２ａに供給される湯水の混合比と止水を含む吐水量の調整を行う操作レバーである。
【０００７】
シャワヘッド３は内部に可撓管４を挿通できるシャワーホルダー３ａに支持されており、シャワーホルダー３ａの先端部３ｂから引出し可能となっている。そして、シャワーホルダー３ａの下端部から引き出された可撓管４はガイド５内を通った状態で前記混合水供給管２ａに連通するように接続される。なお、６は可撓管４の途中に設けられた重りである。
【０００８】
以下、この発明の特徴的構成について説明する。
【０００９】
前記シャワヘッド３は、円筒状の浄水カートリッジ１０が取替自在に内蔵されている合成樹脂製のグリップ部１１と、このグリップ部１１の下流端にねじ止めにより接続される合成樹脂製の吐水口本体１２とよりなる。浄水カートリッジ１０は、例えば高性能抗菌繊維活性炭フィルタ１３を有する。１４は、浄水カートリッジ１０の貫通穴で、浄水カートリッジ１０の軸線Ａ上に位置する。前記貫通穴１４は、前記給水流路１００に連通する原水流路１０１（図５参照）を形成する。
【００１０】
前記吐水口本体１２は、上流端おける前記軸線Ａ上に前記原水流路１０１に連通する原水用開口２０を有するとともに、上流端における原水用開口２０の直下に浄水用開口２１を有する。この浄水用開口２１は、前記浄水カートリッジ１０の外側に形成される環状の浄水流路１０２に連通する。すなわち、浄水吐水状態では、シャワヘッド３のグリップ部１１から吐水口本体１２に至る内周面ｍおよび前記フィルタ１３の外周面ｎ間に形成される環状空間部Ｓを前記フィルタ１３によって濾過された浄水が浄水用開口２１へ流出する。
【００１１】
この浄水吐水状態では、図５（Ｂ）に示すように、後述する弁体４１によって原水流路１０１と後述する吐水流路Ｐ，Ｐ’，Ｑを連通させるための開口３３が閉塞されることにより、給水流路１００から浄水カートリッジ１０の貫通穴１４、すなわち、前記フィルタ１３の内側を流れる原水が原水用開口２０でＵターンするとともに、給水流路１００側の水圧によって原水が前記フィルタ１３内から浄水カートリッジ１０の径方向に流れ、このフィルタ１３で濾過された浄水が、浄水流路１０２から浄水用開口２１を経て前記吐水流路Ｐ，Ｐ’，Ｑを形成するチャンバ３１に至り吐水する。なお、前記浄水用開口２１は前記チャンバ３１に常時連通している。
【００１２】
一方、浄水吐水状態から原水吐水状態に切替わると、図５（Ａ）に示すように、閉塞されていた前記開口３３が開放されて貫通穴１４内の原水が原水用開口２０を通って前記チャンバ３１に至り吐水する。この場合、前記浄水用開口２１は前記チャンバ３１に常時連通しているので、原水用開口２０を通った原水は前記浄水用開口２１を介して環状空間部Ｓにも流れ込み原水の溜まり部となるが、給水流路１００側の水圧が大であるので原水用開口２０を通った原水の大半は直接前記チャンバに流れ込む。また、原水が浄水カートリッジ１０の貫通穴１４を流れる時点においても給水流路１００側の水圧が大であり、かつ、原水用開口２０と前記開口が連通しているので、原水が前記フィルタ１３に浸透する割合は極めて小さい。
【００１３】
２２は、吐水口本体１２の下部側に螺着される合成樹脂製の吐水キャップで、中央部に浄水の直放水の吐水流路Ｐや原水の直放水の吐水流路Ｐ’を形成する吐水口部２３を有する一方、吐水口部２３のまわりに原水の散水用の吐水流路Ｑや浄水の散水用の吐水流路（図示せず）を形成する吐水口部２８を有する。前記吐水口部２３には、例えばメッシュの周囲を合成樹脂材で縁取りした複数枚の散水板２７…が設けられている。また、吐水口部２８にも散水板３０が設けられている。また、前記直放水の吐水流路Ｐ，Ｐ’と散水用の吐水流路Ｑが切替可能に構成されている。
【００１４】
次に、図４、図５も参照して原水吐水状態と浄水吐水状態とを切替える切替手段について説明する。
【００１５】
前記切替手段は、前記吐水口本体１２の横側部に露出したシーソー式の切替用の回動操作具４０を有する。すなわち、図４に示すように、回動操作具４０は、前面に、浄水吐水状態か、あるいは、原水吐水状態かを容易に目視できる切替え表示部８０を有する。この切替え表示部８０は、浄水吐水状態を示す表示部分８０ａと原水吐水状態を示す表示部分８０ｂとよりなる。
【００１６】
更に、前記切替手段は、吐水口本体１２の下部側に前記吐水流路Ｐ，Ｐ’，Ｑを形成するチャンバ３１を有する一方、吐水口本体１２の上部側の空間部Ｓ’に、前記原水流路１０１を前記吐水流路Ｐ，Ｐ’，Ｑに連通させるための開口３３が形成された弁座部材３４と、この弁座部材３４上に前記回動操作具４０の回動操作に連動して前記吐水流路Ｐ，Ｐ’，Ｑを開閉する弁体４１を保持する弁体保持部材４２を有する。
【００１７】
すなわち、図４に示すように、前記弁座部材３４の上面板３４ａに、前記チャンバ３１に対応させて原水流路１０１と吐水流路Ｐ，Ｐ’，Ｑを連通させる開口３３を設けるとともに、吐水口本体１２の上部側の空間部に、上下方向の軸芯まわりで回動可能に合成樹脂製の前記弁体保持部材４２を設け、この弁体保持部材４２に、弁体保持部材４２の回動に伴って前記開口３３を開閉させる金属製のボール弁体４１を、スプリング４５によって閉弁方向に付勢させて設けている。また、この弁体保持部材４２に前記回動操作具４０を連設し、かつ、この操作具４０を吐水口本体１２の横側部に露出させてある。なお、前記スプリング４５とボール弁体４１は、この順で筒体５５に下側から挿入されている。
【００１８】
前記回動操作具４０の回動軸部は、弁座部材３４の上面板３４ａに立設するピン５０と、このピン５０に嵌入係合するようピン５０の形状に合わせて回動操作具４０に穿設した孔４０ａとで構成される。
【００１９】
５１は、弁座部材３４の上面板３４ａに開口３３と並設されたボール弁体４１用の溝である。すなわち、図５（Ａ）、図５（Ｃ）に示す原水吐水状態では、前記開口３３は、ボール弁体４１によって覆われておらず、ボール弁体４１は前記溝５１に位置したままである。一方、回動操作具４０を原水吐水状態から図５（Ｂ）に示す浄水吐水状態に切替操作すると、回動操作具４０の作動に連動してボール弁体４１が前記溝５１から前記開口３３に移動するよう弁体保持部材４２が回動する。
【００２０】
而して、前記回動操作具４０は、従来のように凹み具合で浄水吐水状態か、あるいは、原水吐水状態かを判断させる押しボタン８１の方式ではなく、ピン５０を支点部とするシーソー式に構成されているので、原水吐水状態では、表示部分８０ｂが凹み、かつ、表示部分８０ａが突出しており、目視だけで浄水吐水状態か、あるいは、原水吐水状態かを容易に判断できる。浄水吐水状態の場合も同様である。
【００２１】
また、前記回動操作具４０の切替作動を弁体４１に伝達する伝達機構として、弁体保持部材４２と、ボール弁体４１と、スプリング４５と、弁座部材３４とからなる簡易な構成を採用しているので、故障の原因になり難く、仮に故障しても部品点数が少ないので、迅速に交換できる。
【００２２】
【発明の効果】
以上詳述したようにこの発明では、目視だけで容易に浄水吐水モードなのか原水吐水モードなのかの判断ができるとともに、故障し難い浄水機能付湯水混合水栓を提供できる効果がある。
【図面の簡単な説明】
【図１】  この発明の一実施形態を示す全体斜視図である。
【図２】  上記実施形態における構成説明図である。
【図３】  上記実施形態における要部構成説明図である。
【図４】  上記実施形態における要部分解斜視図である。
【図５】  （Ａ）は上記実施形態における原水吐水状態で、かつ、直放水の状態を示す構成説明図である。
（Ｂ）は上記実施形態における浄水吐水状態で、かつ、直放水の状態を示す構成説明図である。
（Ｃ）は上記実施形態における原水吐水状態で、かつ、散水の状態を示す構成説明図である。
【図６】  （Ａ）は従来の原水吐水状態を説明するための図である。
（Ｂ）は従来の浄水吐水状態を説明するための図である。
【符号の説明】
１…浄水機能付湯水混合栓、２…混合栓本体、２ａ…混合水供給管、３…シャワヘッド、４…可撓管、１０…浄水カートリッジ、１１…グリップ部、１２…吐水口本体、１４…貫通穴、２０…原水用開口、２１…浄水用開口、３３…開口、３４…弁座部材、４０…回動操作具、４１…ボール弁体、４２…弁体保持部材、４５…スプリング、１００…給水流路、１０１…原水流路、１０２…浄水流路、Ｈ…給湯管、Ｃ…給水管、Ｐ，Ｐ’，Ｑ…吐水流路。
【図１】
0003962208.tif 000002
【図２】
0003962208.tif 000003
【図３】
0003962208.tif 000004
【図４】
0003962208.tif 000005
【図５】
0003962208.tif 000006
【図６】
0003962208.tif 000007